(57)【特許請求の範囲】
【請求項１】
建築物の基礎の立ち上がりに囲まれた内側領域に、凹部が設けられた基礎地盤を形成するための建築物の基礎構造施工方法であって、
前記基礎地盤に凹部を形成する治具を配置するための治具用凹部が形成された仮地盤を前記内側領域に形成する仮地盤形成工程と、
前記治具に設けられた突出部が前記仮地盤から突出した状態で前記治具用凹部に前記治具を配置する治具配置工程と、
前記治具用凹部に前記治具が配置された状態で前記治具が配置された箇所を除いて前記仮地盤を転圧することにより前記基礎地盤を形成する転圧工程とを含む
建築物の基礎構造施工方法。
【請求項２】
前記治具配置工程では、前記治具に設けられた凹部形成部が前記基礎のフーチングに接触するように前記治具を前記治具用凹部に配置する
請求項１に記載の建築物の基礎構造施工方法。
【請求項３】
前記仮地盤形成工程では、前記仮地盤の外周部に前記治具用凹部である溝を形成する
請求項１または２に記載の建築物の基礎構造施工方法。
【請求項４】
建築物の基礎の立ち上がりに囲まれた内側領域に、凹部が設けられた基礎地盤を形成するための建築物の基礎構造施工方法に用いられる基礎構造施工用の治具であって、
前記基礎地盤に前記凹部が形成されるように、前記内側領域に形成された仮地盤に設けられた治具用凹部に配置される凹部形成部と、
前記凹部形成部が前記治具用凹部に配置された状態で前記仮地盤から突出する突出部と、を含み、
前記治具は、前記治具の長手方向に延びる側方接触面、斜面、および、内面を有し、
前記側方接触面は、前記凹部形成部および前記突出部に亘って設けられ、前記基礎地盤に設けられる前記基礎の立ち上がりに接触するように構成され、
前記斜面は、前記凹部形成部に設けられて、前記側方接触面に対して傾斜するように構成され、
前記内面は、前記突出部に設けられて、前記側方接触面に沿うように前記斜面の上端縁から延び、
前記突出部には、指が挿入され得る凹部、または、片手で掴めるグリップが設けられる
基礎構造施工用の治具。
【発明の詳細な説明】
【技術分野】
【０００１】
本発明は建築物の基礎構造施工方法、および、これに用いる基礎構造施工用の治具に関する。
【背景技術】
【０００２】
従来の建築物の基礎構造施工方法の一例では、基礎の立ち上がりに囲まれた領域である内側領域に基礎地盤が形成される。基礎地盤には、所定の用途のために溝が形成されることがある。所定の用途の一例は、土間コンクリートを支持する支持部材の配置、および、基礎と基礎地盤との境界からのシロアリの侵入を妨げる防蟻剤の配置である。特許文献１は防蟻剤を配置するための溝を基礎地盤に形成する基礎構造施工方法の一例を開示している。同文献の図２に示されるように、この基礎構造施工方法では、防蟻剤を配置する溝部(３０)を地盤(２０)に形成するため、溝形成治具(１)を用いる。溝形成治具(１)は溝部(３０)に対応する形状を有する治具本体(２)、および、治具本体(２)から突出する突出部(３)により構成されている。地盤(２０)の形成は次の順で実施される。最初に、転圧前の地盤(２０)上に溝形成治具(１)が配置される。次に、転圧機(Ｔ)により地盤(２０)が転圧される。このとき、治具本体(２)が地盤(２０)に埋め込まれるように転圧機(Ｔ)が突出部(３)上を走行する。治具本体(２)が埋め込まれた地盤(２０)には、治具本体(２)の形状に対応した溝部(３０)が形成される。次に、地盤(２０)から治具本体(２)が抜き取られ、溝部(３０)に防蟻剤が配置される。
【先行技術文献】
【特許文献】
【０００３】
【特許文献１】特開２００５−１６３２７０号公報
【発明の概要】
【発明が解決しようとする課題】
【０００４】
上記基礎構造施工方法によれば、作業者は転圧機(Ｔ)を用いて地盤を転圧する場合に溝形成治具(１)が適切に地盤に埋め込まれるように転圧機(Ｔ)を操作することが求められる。このため、転圧作業に手間がかかるおそれがある。作業者の負担および工期等の点から、基礎地盤に形成される溝の用途にかかわらず転圧作業を容易に実施できることが好ましい。
【課題を解決するための手段】
【０００５】
(１)本発明に関する建築物の基礎構造施工方法は建築物の基礎の立ち上がりに囲まれた内側領域に、凹部が設けられた基礎地盤を形成するための建築物の基礎構造施工方法であって、前記基礎地盤に凹部を形成する治具を配置するための治具用凹部が形成された仮地盤を前記内側領域に形成する仮地盤形成工程と、前記治具に設けられた突出部が前記仮地盤から突出した状態で前記治具用凹部に前記治具を配置する治具配置工程と、前記治具用凹部に前記治具が配置された状態で前記治具が配置された箇所を除いて前記仮地盤を転圧することにより前記基礎地盤を形成する転圧工程とを含む。
上記基礎構造施工方法によれば、仮地盤を転圧する場合に治具を転圧機により仮地盤に埋め込む必要がないため、転圧作業を容易に実施できる。
【０００６】
(２)好ましい例では(１)に記載の建築物の基礎構造施工方法において、前記治具配置工程では、前記治具に設けられた凹部形成部が前記基礎のフーチングに接触するように前記治具を前記治具用凹部に配置する。
上記基礎構造施工方法によれば、フーチングの表面が基礎地盤の凹部に表れるため、土間コンクリートの支持部材および防蟻剤をはじめとする基礎構造に関する物体をフーチング上に配置できる。
【０００７】
(３)好ましい例では(１)または(２)に記載の建築物の基礎構造施工方法において、前記仮地盤形成工程では、前記仮地盤の外周部に前記治具用凹部である溝を形成する。
仮地盤が転圧されることにより、治具用凹部に配置された治具により基礎地盤の凹部が形成される。このため、土間コンクリートの支持部材および防蟻剤をはじめとする、基礎構造に関連する物体を基礎地盤の外周部に配置できる。
【０００８】
(４)本発明に関する基礎構造施工用の治具は建築物の基礎の立ち上がりに囲まれた内側領域に、凹部が設けられた基礎地盤を形成するための建築物の基礎構造施工方法に用いられる基礎構造施工用の治具であって、前記基礎地盤に前記凹部が形成されるように、前記内側領域に形成された仮地盤に設けられた治具用凹部に配置される凹部形成部と、前記凹部形成部が前記治具用凹部に配置された状態で前記仮地盤から突出する突出部とを含む。
上記治具によれば、上記(１)の基礎構造施工方法により得られる効果と同様の効果が得られる。
【発明の効果】
【０００９】
本発明に関する建築物の基礎構造施工方法、および、基礎構造施工用の治具によれば、凹部が設けられる基礎地盤の転圧作業を容易に実施できる。
【図面の簡単な説明】
【００１０】
【図１】実施形態の建築物の基礎構造の断面図。
【図２】基礎構造施工方法の第１工程に関する断面図。
【図３】基礎構造施工方法の第５工程に関する斜視図。
【図４】図３のＤ４−Ｄ４線に沿う断面図。
【図５】基礎構造施工方法の第６工程に関する断面図。
【図６】第１治具の斜視図。
【図７】第２治具の斜視図。
【図８】基礎構造施工方法の第７工程に関する断面図。
【発明を実施するための形態】
【００１１】
(実施形態)
図１は建築物を支持する建築物の基礎構造１の一部の断面を示している。基礎構造１を構成する主な要素は地盤１００、地盤１００に埋められた基礎１０、地盤１００上に形成された土間コンクリート層１３０、および、土間コンクリート層１３０を支持する杭４００である。基礎１０、土間コンクリート層１３０、および、杭４００を構成する材料はコンクリートである。図１では、基礎１０の一例として布基礎を示している。基礎１０はフーチング１１および立ち上がり１２により構成されている。フーチング１１は砕石層２０上に設置されている。立ち上がり１２の下部１２Ａは地盤１００に埋設されている。立ち上がり１２の上部１２Ｂは地盤１００の表面１００Ａから突出している。フーチング１１には、立ち上がり１２の下部１２Ａと繋がる平坦部１１Ａ、および、フーチング１１の側面を構成する湾曲部１１Ｂが設けられている。図３に示されるように、立ち上がり１２は枠１３を構成している。基礎１０には立ち上がり１２の枠１３に囲まれた領域である内側領域１４が形成されている。地盤１００は内側領域１４に形成されている基礎地盤１１０を含む。
【００１２】
図１に示されるように、基礎地盤１１０の表面１００Ａには基礎地盤１１０の内部から建築物への水蒸気の侵入が抑制されるように土間コンクリート層１３０が形成されている。基礎地盤１１０には所定の用途のために凹部１１２が形成されている。凹部１１２の形状、および、基礎地盤１１０における凹部１１２の形成位置等は凹部１１２の用途に応じて任意に選択できる。第１例では、凹部１１２は土間コンクリート層１３０を支持する支持部材３０を配置できるように基礎地盤１１０の外周部１１１の全体に形成された溝である。支持部材３０を構成する材料の一例はコンクリートである。支持部材３０は土間コンクリート層１３０を形成する工程において凹部１１２にコンクリートが流し込まれることにより構成される。支持部材３０が凹部１１２に設けられる場合、土間コンクリート層１３０が基礎地盤１１０、支持部材３０、および、杭４００により支持されるため、地盤１００が軟弱な場合でも土間コンクリート層１３０の沈下が抑制される。第２例では、凹部１１２は防蟻剤(図示略)を配置できるように基礎地盤１１０の外周部１１１の全体に形成された溝である。防蟻剤が凹部１１２内に配置される場合、内側領域１４に形成された基礎地盤１１０と立ち上がり１２との境界部分からのシロアリの侵入が妨げられる。防蟻剤は例えば、鉄鋼の製造工程において副産物として生成される鉄鋼スラグのうちの自然放冷によって徐冷処理された粒状の徐冷スラグであり、アルカリ性を有し、水分の存在下で硬化する。防蟻剤を硬化させる水分は、土間コンクリート層１３０および基礎地盤１１０に含まれる水分、および、土間コンクリート層１３０の形成前に作業者により噴射される水分の一方または両方である。凹部１１２は、基礎地盤１１０に形成された斜面１１２Ａ、立ち上がり１２の下部１２Ａの表面、および、フーチング１１の平坦部１１Ａの表面により構成されている。斜面１１２Ａは凹部１１２の一方の側面を構成している。下部１２Ａの表面は凹部１１２の他方の側面を構成している。フーチング１１の平坦部１１Ａの表面は凹部１１２の底面を構成している。一例では、斜面１１２Ａは基礎地盤１１０の表面１００Ａ側から立ち上がり１２に向かうにつれて下方に傾斜している。基礎構造１が完成した状態では、図１に示されるように凹部１１２が支持部材３０で埋められている。支持部材３０の底部はフーチング１１の平坦部１１Ａの表面と接触している。フーチング１１は支持部材３０を下方側から支持している。
【００１３】
図２〜図８を参照して、建築物の基礎構造施工方法について説明する。建築物の基礎構造施工方法は第１工程〜第９工程を含む。第５工程は仮地盤形成工程の一例である。第６工程は治具配置工程の一例である。第７工程は転圧工程の一例である。第１工程では、地盤１００に基礎１０を配置するための掘削溝１００Ｂ(図２参照)が形成され、掘削溝１００Ｂの底に砕石層２０が設けられる。掘削溝１００Ｂを形成するために掘り起こされた土壌４０は地盤１００の表面１００Ａに仮置きされる。第２工程では、基礎１０を形成するための型枠(図示略)が砕石層２０上に設置される。第３工程では、型枠にコンクリートが流し込まれる。コンクリートが硬化することにより型枠の形状に応じた基礎１０が形成される。第４工程では、基礎１０から型枠が外される。第５工程では、フーチング１１および立ち上がり１２の下部１２Ａが埋設されるように地盤１００の掘削溝１００Ｂが埋め戻される。
【００１４】
図３に示されるように第５工程が終了した状態では、基礎地盤１１０の基礎となる仮地盤１２０が内側領域１４に形成される。第５工程では、図４に示されるように基礎地盤１１０に凹部１１２を形成するための治具２００(図５参照)が配置される治具用凹部１２２が仮地盤１２０の外周部１２１に形成される。治具用凹部１２２には、仮地盤１２０の表面１００Ａ側から立ち上がり１２に向かうにつれて下方に傾斜した斜面１２２Ａが形成されている。
【００１５】
第６工程では、図５に示されるように仮地盤１２０の治具用凹部１２２に治具２００が配置される。一例では、治具２００は図６に示されるような構造を有する。治具２００を構成する材料は任意に選択できる。好ましい例では、治具２００を容易に運搬できるように軽量な材料で治具２００が構成される。その材料の一例は発泡スチロールである。
【００１６】
治具２００の形状は凹部１１２(図１参照)の形状、治具２００の運搬、および、治具２００の保管等を考慮して任意に選択できる。治具２００は凹部形成部２１０および突出部２２０により構成される。治具２００の全体的な形状は凹部１１２の形状に対応した柱状である。
【００１７】
凹部形成部２１０は治具用凹部１２２内に配置される部分であり、基礎地盤１１０に凹部１１２を形成できるように構成されている。突出部２２０は凹部形成部２１０が治具用凹部１２２内に配置された状態において仮地盤１２０から突出する部分である。突出部２２０が仮地盤１２０から突出した状態では、転圧機３００を突出部２２０に接触させながら仮地盤１２０における突出部２２０付近の部分を転圧できる。突出部２２０の高さＨは任意に設定できる。第１例では、突出部２２０の高さＨは作業者が掴むことができる高さである。第１例の場合、仮地盤１２０の転圧が終了したときに作業者が突出部２２０を掴んで治具２００を基礎地盤１１０から抜くことができるため、作業性が向上する。第２例では、突出部２２０の高さＨは土間コンクリート層１３０の厚みと同じである。土間コンクリート層１３０の厚みが標準的な厚みである場合、第２例の突出部２２０の高さＨは作業者が掴むことができる高さである。第２例によれば、治具２００が治具用凹部１２２に設置された状態において仮地盤１２０から突出した突出部２２０の高さＨを認識することにより、その後の工程で形成される土間コンクリート層１３０の厚みを認識できる。
【００１８】
治具２００には複数の面２３０が形成されている。複数の面２３０は側方接触面２３１、斜面２３２、上面２３３、内面２３４、突き合わせ面２３５、および、下方接触面２３６を含む。側方接触面２３１、斜面２３２、上面２３３、内面２３４、および、下方接触面２３６は治具２００の長手方向に延びる面である。側方接触面２３１は治具２００が治具用凹部１２２(図５参照)に配置された状態において立ち上がり１２と接触する平面である。斜面２３２は治具２００が治具用凹部１２２に配置された状態において斜面１２２Ａと接触し、仮地盤１２０が転圧された場合に基礎地盤１１０の凹部１１２の斜面１１２Ａ(図１参照)を形成する面である。上面２３３は治具２００が治具用凹部１２２に配置された状態において上側に位置する平面である。内面２３４は治具２００が治具用凹部１２２に配置された状態において内側領域１４側に位置する平面である。突き合わせ面２３５は治具２００の長手方向の端部に形成された端面である。複数の治具２００が治具２００の長手方向に沿って並べられた場合、隣り合う治具２００の突き合わせ面２３５同士が接触し、複数の治具２００が整列する。下方接触面２３６は治具２００が治具用凹部１２２に配置された状態においてフーチング１１の平坦部１１Ａと接触する平面である。
【００１９】
第６工程の一例では、仮地盤１２０の外周部１２１の形状に対応した２種類の治具２００が用いられる。２種類の治具２００は、図６に示される治具２００、および、図７に示される治具２００である。これらの治具２００の基本的な構造は共通し、一部の構造が相違している。以下では、各治具２００の区別のため、図６に示される治具２００を第１治具２００Ａと称し、図７に示される治具２００を第２治具２００Ｂと称する。
【００２０】
第１治具２００Ａは仮地盤１２０の外周部１２１の直線部１２３(図３参照)に配置される。治具用凹部１２２の長手方向における直線部１２３の長さが第１治具２００Ａの長手方向の長さよりも長い場合、複数の第１治具２００Ａが長手方向に整列して配置される。
【００２１】
第２治具２００Ｂは仮地盤１２０の外周部１２１の入隅部１２４(図３参照)に配置される。第２治具２００Ｂの長手方向の一方の端部には、第１治具２００Ａの長手方向の端部と構造が異なる入隅側端部２４０が設けられている。第２治具２００Ｂは入隅側端部２４０が設けられる位置に応じて２種類に分類される。１種類目の第２治具２００Ｂは長手方向の一方の端部に入隅側端部２４０が設けられ、他方の端部の構造が第１治具２００Ａと同様である。２種類目の第２治具２００Ｂは１種類目の第２治具２００Ｂにおける入隅側端部２４０とは反対側の端部に入隅側端部２４０が設けられ、他方の端部の構造が第１治具２００Ａと同様である。入隅側端部２４０は側方接触面２３１が内面２３４よりも長手方向の外側に位置するように尖った形状を有する。入隅側端部２４０には第２治具２００Ｂの長手方向に対して傾斜した端面である突き合わせ面２４１が形成されている。仮地盤１２０の外周部１２１の入隅部１２４には、１種類目の第２治具２００Ｂの突き合わせ面２４１と２種類目の第２治具２００Ｂの突き合わせ面２４１とが接触するように各第２治具２００Ｂが配置される。このように、第６工程では、外周部１２１の直線部１２３および入隅部１２４のそれぞれに対応した各治具２００が用いられるため、各治具２００を容易に配置できる。
【００２２】
第７工程では、図５に示されるように各治具２００が配置された箇所を除いて仮地盤１２０が転圧機３００により転圧される。図８に示されるように、仮地盤１２０が転圧されることにより仮地盤１２０が基礎地盤１１０となり、治具用凹部１２２が凹部１１２となる。第８工程では、各治具２００が凹部１１２から抜き取られる。第９工程では、基礎地盤１１０上に補強筋(図示略)が配置され、凹部１１２を埋めるように、かつ、補強筋および基礎地盤１１０を覆うように内側領域１４の全体に土間コンクリート層１３０(図１参照)が形成される。
【００２３】
建築物の基礎構造施工方法、および、治具２００によれば、次のような作用および効果が得られる。第７工程において仮地盤１２０を転圧する場合に治具２００を転圧機３００により仮地盤１２０に埋める必要がないため、転圧作業を容易に実施できる。
【００２４】
(変形例)
上記実施形態は本発明に関する基礎構造施工方法、および、基礎構造施工用の治具の施工方法が取り得る形態の例示であり、その形態を制限することを意図していない。本発明に関する基礎構造施工方法、および、基礎構造施工用の治具は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２５】
・治具２００の形状は任意に変更可能である。第１例では、治具２００の突出部２２０には、指を挿入できる１または複数の凹部が形成される。第１例の治具２００を用いた基礎構造施工方法の第８工程では、作業者が突出部２２０の凹部に指を挿入し、各治具２００を凹部１１２から抜き取ることができる。第２例では、治具２００の突出部２２０には、片手で掴めるグリップが設けられる。グリップは例えば、突出部２２０に設けられた突起または凹部である。第２例の治具２００を用いた基礎構造施工方法の第８工程では、作業者が突出部２２０のグリップを掴み、各治具２００を凹部１１２から抜き取ることができる。
【符号の説明】
【００２６】
１      ：建築物の基礎構造
１０    ：基礎
１１    ：フーチング
１２    ：立ち上がり
１４    ：内側領域
１１０  ：基礎地盤
１１１  ：外周部
１１２  ：凹部
１２０  ：仮地盤
１２１  ：外周部
１２２  ：治具用凹部
２００  ：治具
２１０  ：凹部形成部
２２０  ：突出部
【図１】
0006988224.tif 000002
【図２】
0006988224.tif 000003
【図３】
0006988224.tif 000004
【図４】
0006988224.tif 000005
【図５】
0006988224.tif 000006
【図６】
0006988224.tif 000007
【図７】
0006988224.tif 000008
【図８】
0006988224.tif 000009